(57)【要約】【課題】隔離された空間での作業が行える作業棚であって、作業するときの作業空間を有効に利用ができる作業棚を提供する。【解決手段】直方体状の棚１１と、その棚内の空間の側面を閉じるように設けられた移動壁１２とからなり、移動壁１２は棚１１から離れるように移動可能である作業棚１０。移動壁１２が棚１１から離れることによって、移動壁１２と棚１１との間に作業空間Ｓ２が形成される。作業棚１０の移動壁１２が棚１１側にあるとき、作業棚１０をコンパクトにした状態で、目的空間Ｓ１で目的を達成させることができる。一方、移動壁１２を棚１１から離す方向に移動させることにより、外部から隔離した作業空間Ｓ２が目的空間Ｓ１に隣接して形成されるので、目的物への搬送や目的物への作業を作業員が作業空間Ｓ２に入って行うことができる。【選択図】図１
2013158293.tif 000002
【特許請求の範囲】
【請求項１】
天板と、その天板および床の間の空間を塞ぐように設けられた複数の側壁と、前記空間を上下の目的空間に分けるように空間内に設けられる棚板とを有しており、
少なくとも一つの側壁が前記目的空間から離れるように移動可能な移動壁であり、
前記移動壁は、移動壁が目的空間から離れたときに移動壁と目的空間との間に形成される作業空間を閉じる複数の可動壁および可動天面を有している、
作業棚。
【請求項２】
２つ以上の側壁が移動壁である、請求項２記載の作業棚。
【請求項３】
前記可動壁および／または可動天面が、移動壁の移動に応じて収縮する、請求項１記載の作業棚。
【請求項４】
前記可動壁および／または可動天面が、移動壁の移動に応じて天板および側壁に沿って移動する、請求項１記載の作業棚。
【請求項５】
前記移動壁が透光性を有している、請求項１記載の作業棚。
【請求項６】
前記可動壁に開閉自在の出入口が設けられている、請求項１記載の作業棚。
【請求項７】
前記目的空間および作業空間が外気から密閉されており、
前記天板および／または側壁に目的空間内の環境を調整する配管が設けられている、
請求項１記載の作業棚。
【発明の詳細な説明】
【技術分野】
【０００１】
本発明は作業棚に関する。詳しくは、閉じられた空間内で作業するための作業棚に関する。
【背景技術】
【０００２】
特許文献１に示すように、本出願人は、限られた空間で作業が可能な植物栽培用の移動棚を提示している。特許文献１の移動棚は、栽培槽を載置させて植物を栽培するときと、棚に植物を配置させるなど作業するときとで移動棚を移動させ、作業するときの作業スペースを有効に利用するものである。
【先行技術文献】
【特許文献】
【０００３】
【特許文献１】特開２０１０−２７９２７９号公報
【発明の概要】
【発明が解決しようとする課題】
【０００４】
しかし、特許文献１の移動棚に空調等の配管を設ける場合、移動棚の移動と共に配管を収縮させたり、曲げたりしなければならず、また移動棚に電源等を設ける場合、移動棚の移動によって電源等が断絶しないように電気配線を行わなければならず、屋内へ設置するとき煩雑であった。さらに、移動棚を動かすために大きな動力が必要であった。
本発明は、隔離された空間での作業が行える作業棚であって、作業するときの作業空間を有効に利用ができる作業棚を提供することを目的としている。
【課題を解決するための手段】
【０００５】
本発明の作業棚は、天板と、その天板および床の間の空間を塞ぐように設けられた複数の側壁と、前記空間を上下の目的空間に分けるように空間内に設けられる棚板とを有しており、少なくとも一つの側壁が前記目的空間から離れるように移動可能な移動壁であり、前記移動壁は、移動壁が目的空間から離れたときに移動壁と目的空間との間に形成される作業空間を閉じる複数の可動壁および可動天面を有していることを特徴としている。
このような作業棚であって、２以上の側壁が移動壁であるものが好ましく、特に対向する２つの側壁が移動壁であるものが好ましい。
このような作業棚であって、前記可動壁および／または可動天面が、移動壁の移動に応じて収縮する、あるいは、移動壁の移動に応じて天板および側壁に沿って移動するものが好ましい。
本発明の作業棚の移動壁は透光性を有しているものが好ましい。
本発明の作業棚の可動壁に開閉自在の出入口が設けられているものが好ましい。
本発明の作業棚の目的空間および作業空間が外気から密閉されており、天板および／または側壁に目的空間内の環境を調整する配管が設けられているものが好ましい。
【発明の効果】
【０００６】
本発明の作業棚は、天板と、その天板および床の間の空間を塞ぐように設けられた複数の側壁と、前記空間を上下の目的空間に分けるように空間内に設けられる棚板とを有しており、少なくとも一つの側壁が前記目的空間から離れるように移動可能な移動壁であり、前記移動壁は、移動壁が目的空間から離れたときに移動壁と目的空間との間に形成される作業空間を閉じる複数の可動壁および可動天面を有しているため、移動壁を目的空間に沿って配置させているときは、作業空間は作業棚に対して外部にあり、その空間を有効に利用することができる。特に、この作業棚を屋内に設置する場合、限られた屋内空間を有効
に利用できる。例えば、この作業棚を用いることにより屋内の一部を棚を備えたクリーンルームや棚を備えた植物栽培空間にできる。
【０００７】
このような作業棚であって、２以上の側壁が移動壁である場合、棚に対して作業空間を２以上作ることができ、棚に対する作業性を上げることができる。特に、対向する２つの側壁が移動壁である場合は、棚の表裏側に作業空間を形成することができる。
このような作業棚であって、前記可動壁および／または可動天面が、移動壁の移動に応じて収縮する場合、あるいは、移動壁の移動に応じて天板および側壁に沿って移動する場合、移動壁を目的空間から離すことにより独立した作業空間が形成される。
本発明の作業棚の移動壁は透光性を有している場合、外部から作業棚の状況が視認できる。
本発明の作業棚の可動壁に開閉自在の出入口が設けられている場合、作業空間への作業員の出入りが容易になる。特に、作業空間および目的空間を密閉とする場合、好ましい。
本発明の作業棚の目的空間および作業空間が外気から密閉されており、天板および／または側壁に目的空間内の環境を調整する配管が設けられている場合、作業空間および目的空間を外部に対して密閉することにより、内部の温度、湿度等の環境を正確に調整できる。
【図面の簡単な説明】
【０００８】
【図１】図１ａは本発明の作業棚の一実施形態であって、移動壁を開いたときを示す斜視図であり、図１ｂは移動壁を閉じたときを示す斜視図である。
【図２】図２ａは図１ａの作業棚の側面断面図であり、図２ｂは図２ａのＸ−Ｘ線断面図であり、図２ｃは本発明の作業棚の他の実施形態を示す断面図である。
【図３】図３ａは本発明の作業棚のさらに他の実施形態であって、移動壁を開いたときを示す斜視図であり、図３ｂは移動壁を閉じたときを示す斜視図である。
【図４】図４ａは本発明の作業棚の一実施形態であって、移動壁を開いたときを示す斜視図であり、図４ｂは移動壁を閉じたときを示す斜視図である。
【図５】図５ａは図４ａの作業棚の側面断面図であり、図５ｂは図４ａの作業棚の正面断面図である。
【発明を実施するための形態】
【０００９】
図１の作業棚１０は、直方体状の棚１１と、その棚内の空間の側面を閉じるように設けられた移動壁１２とからなり、移動壁１２は棚１１から離れるように移動可能である。移動壁１２が棚１１から離れることによって、移動壁１２と棚１１との間に作業空間Ｓ２が形成される。
【００１０】
棚１１は、矩形状の天板１１ａと、天板と同一形状の底板１１ｂと、その短辺同士を繋ぐ左右壁１１ｃと、その奥側の長辺同士を繋ぐ後壁１１ｄと、天板と底板との間の空間Ｓを上下の目的空間Ｓ１に分ける複数の棚板１１ｅとからなる。これら天板１１ａ、底板１１ｂ、左右壁１１ｃおよび後壁１１ｄを支持する柱を設けてもよい。
【００１１】
図２ａ、ｂに示すように、棚１１の後壁１１ｄには、上下に分けられた目的空間Ｓ１を連通するように上下に伸びる上下ダクト１１ｇが２本形成されている。また、後壁１１ｄには、それぞれの上下ダクト１１ｇに連通する配管１５が２本連結されている。２本の配管１５は作業棚１０の外部に設置された空調１６に連結されている。目的空間Ｓ１と一方の上下ダクト１１ｇとは、後壁１１ｄに設けた連通孔１５ａで連通しており、目的空間Ｓ１と他方の上下ダクト１１ｇは棚板１１ｅおよび天板１１ａ内に形成された連通路１５ｂで連通している。連通孔１５ａおよび連通路１５ｂは、図２ｂのように左右反対となるように設けられている。このように構成されているため、棚内のそれぞれの目的空間Ｓ１において、空気の循環ができ、目的空間Ｓ１内の環境（温度、湿度等）を調整することがで
きる。また、空間Ｓ内に電気線等を配設するための配管を後壁１１ｄに連結してもよい。
目的空間Ｓ１を連通させるダクト構造および配管構造は、特に限定されるものではなく、目的に応じて適宜設計することができる。例えば、図２ｃのように左右壁１１ｃの一方に目的空間Ｓ１と上下ダクト１１ｇを設け、他方に棚板の連通路１１ｂと連通するように配管を設けてもよい。この場合、目的空間Ｓ１の左右の一端からエアーを供給し、他端から排気でき、連通孔１５ａから連通路１５ｂにエアーを流すことによって目的空間Ｓ１の全体にエアーを供給できるため、ムレが起こりにくい。さらに、２つの上下ダクトをそれぞれ左右壁１１ｃ、後壁１１ｄに１つずつ設けてもよく、上下ダクトを１つにしてもよい。
【００１２】
移動壁１２は、棚１１（目的空間Ｓ１）の手前側の長手方向の面を塞ぐように設けられる閉鎖壁２１と、その閉鎖壁の上辺から棚１１方向に延びる可動天板２２と、閉鎖壁の左右辺から棚方向に延びる可動左右壁２３とからなる。
閉鎖壁２１は、閉鎖壁２１の周縁を構成する枠体２１ａと、その枠体２１ａ内に配置されるガラス板２１ｂとからなる。これにより閉鎖壁２１を介して棚１１（目的空間Ｓ１）内が外部から視認できる。例えば、植物栽培に使用するとき、外部から成長を観察することができる。
また閉鎖壁２１の下端には、移動壁１２の移動の補助するための車輪２１ｃが設けられている。しかし、車輪２１ｃは可動左右壁２２に設けてもよい。また、車輪２１ｃの代わりにレールを敷いてもよい。
さらに、閉鎖壁２１の下端と床との間は、例えば、シール材を介在させるなどして、外気が作業空間内に侵入しないようにシールされている。
【００１３】
可動左右壁２２の一方には、作業空間Ｓ２への出入りを可能とする開閉自在のドア２６が形成されている。しかし、両方に設けてもよい。
閉鎖壁２１が棚１１の空間Ｓに面しているとき、可動天板２２は棚１１の天板１１ａの外側に沿うように配置され、可動左右壁２３は棚１１の左右壁１１ｃの外側に沿うように配置される。それぞれ可動天板２３と天板１１ａの間および可動左右壁２２と左右壁１１ｃとの間は、例えば、シール材を介在させるなどして、シールされている。
【００１４】
このように構成されているため、作業棚１０の移動壁１２が棚１１側にあるとき、作業棚１０をコンパクトにした状態で、目的空間Ｓ１（空間Ｓ）で目的（例えば、植物の栽培、細胞の培養など）を達成させることができる。そのため、スペースを有効に利用することができる。一方、移動壁１２を棚１１から離す方向に移動させることにより、外部から隔離した作業空間Ｓ２が目的空間Ｓ１に隣接して形成されるので、目的物への搬送や目的物への作業（例えば、栽培や培養の詳細な観察、薬や栄養等の投与）を作業員が作業空間Ｓ２に入って行うことができる。また、移動壁１２を移動させるだけで作業空間Ｓ２を形成することができるため、簡易に操作ができる。
このような作業棚１０は、温度や湿度の調整が必要な作業に好ましく用いることができる。特に、植物栽培に用いたり、細菌培養に用いたり、クリーンルームが必要な作業に用いるのが好ましい。例えば、目的空間Ｓ２ごとに環境を調整することにより、それぞれの目的空間Ｓ２に異なる植物の栽培や細菌の培養ができる。また作業空間Ｓ２を開いているとき、棚板を机等として用いたりもできる。棚の構成は、棚板間の高さ等は、その用途に応じて適宜設定できる。
【００１５】
図３に示す作業棚３０は、棚１１と移動壁３１との間を収縮自在のカバー３２で連結したものである。つまり、移動壁３１の周縁と棚１１の開口部周縁との間にカバー３２を連結させたものである。
このように作業空間Ｓ２を外気から隔離できるように構成されていれば、図１のように作業空間Ｓ２をシールするシール構造を設けても、図３のように作業空間Ｓ２を遮断させ
てもよい。
【００１６】
図４に示す作業棚４０は、直方体状の棚４１と、その棚内の空間の側面を閉じるように設けられた対向する２つの移動壁４２とからなり、移動壁４２は棚１１から離れるように移動可能である。移動壁４２が棚４１から離れることによって、移動壁４２と棚４１との間に２つの作業空間Ｓ２が形成される。
棚４１は、図５ａ、ｂに示すように、矩形状の天板４１ａと、天板と同一形状の底板４１ｂと、その短辺同士を繋ぐ左右壁４１ｃと、天板と底板との間の空間Ｓを上下の目的空間Ｓ１に分ける複数の棚板４１ｅとからなる。これら天板４１ａ、底板４１ｂおよび左右壁４１ｃを支持する柱を設けてもよい。
この棚４１の一方の左右壁４１ｃには、上下に分けられた目的空間Ｓ１を連通するように上下に伸びる上下ダクト４１ｇが２本形成されている。また、それぞれの上下ダクト４１ｇと外部に配置された空調１６とを連通する配管１５が２本設けられている。目的空間Ｓ１と一方の上下ダクト４１ｇとは、左右壁４１ｃに設けた連通孔１５ａで連通しており、目的空間Ｓ１と他方の上下ダクト４１ｇは棚板４１ｅおよび天板４１ａ内に形成された連通路１５ｂで連通している。このように構成されているため、それぞれの目的空間Ｓ１において、空気の循環ができ、目的空間Ｓ１内の環境（温度、湿度等）を調整することができる。また、空間Ｓ内に電気線等を配設するための配管を左右壁４１ｃに連結してもよい。
【００１７】
移動壁４２は、図１の移動壁１１と実質的に同じものであり、棚４１（目的空間Ｓ１）の手前側の長手方向の面を塞ぐように設けられる閉鎖壁２１と、その閉鎖壁の上辺から棚４１方向に延びる可動天板２２と、閉鎖壁の左右辺から棚方向に延びる可動左右壁２３とを有している。移動壁４２として、図３のように収縮自在のカバーを用いても良い。
【００１８】
このように構成されているため、図１の作業棚１０と同様に、作業棚４０の移動壁４２が棚４１側にあるとき、作業棚４０をコンパクトにした状態で、目的空間Ｓ１（空間Ｓ）で目的（例えば、植物の栽培、細胞の培養など）を達成させることができる。一方、移動壁４２を棚４１から離す方向に移動させることにより、外部から隔離した作業空間Ｓ２が目的空間Ｓ１に隣接して形成されるので、目的物への搬送や目的物への作業（例えば、栽培や培養の詳細な観察、薬や栄養等の投与）を作業員が作業空間Ｓ２に入って行うことができる。特に、棚４１に対して表裏両側にそれぞれ作業空間Ｓ２を形成することができるため、より多くの作業員を作業空間Ｓ２に入れることができ、作業効率を上げることができる。
ここでは棚４１に対して２つの移動壁４２を設けたが、左右壁４１ｃを含めた３つあるいは４つを移動壁にしてもよい。つまり、本発明は棚を構成する側壁のうち１以上であれば移動壁にすることができる。しかし、目的空間Ｓ１内の環境を調整する配管および上下ダクト等を設ける場合は、固定した壁を一つ以上有している方がよい。しかし、移動壁に配管および上下ダクト等を設けてもよい。この場合、配管等を収縮させる必要があり構造が多少煩雑となるが、作業空間は簡単な操作あるいは最小のエネルギーで形成することができる。
【００１９】
これまでの実施形態は、作業空間が密閉となるように密閉構造を備えたものを開示している。
しかし、本発明の作業棚は、作業空間および目的空間を外気から密閉しなくてもよい。例えば、店などの屋内に作業棚を配置し、作業棚を物の倉庫として用い、営業時間では作業空間を閉じ、夜間等の営業時間外で作業空間を開くようにして用いてもよく、その場合、密閉構造は必要ではない。
【符号の説明】
【００２０】
Ｓ１  目的空間
Ｓ２  作業空間
１０  作業棚
１１  棚
１１ａ  天板
１１ｂ  底板
１１ｃ  左右壁
１１ｄ  後壁
１１ｅ  棚板
１１ｇ  上下ダクト
１２  移動棚
２１  閉鎖壁
２１ａ  枠体
２１ｂ  ガラス板
２１ｃ  車輪
２２  可動天板
２３  可動左右壁
２６  ドア
３０  作業棚
３１  移動壁
３２  カバー
４０  作業棚
４１  棚
４１ａ  天板
４１ｂ  底板
４１ｃ  左右壁
４１ｅ  棚板
４１ｇ  上下ダクト
４２  移動壁
【図１】
2013158293.tif 000003
【図２】
2013158293.tif 000004
【図３】
2013158293.tif 000005
【図４】
2013158293.tif 000006
【図５】
2013158293.tif 000007